(57)【特許請求の範囲】
【請求項１】
座席部と背もたれを有し、座席部は幅方向中央位置に前端から後方に向かいほぼ中央までＶ字型の切欠部を形成し、その切欠部の端部から座席部後端までの座席上面に局部洗浄用溝を形成した入浴用椅子において、前記局部洗浄用溝は、前方が幅広く深く、後方が幅狭く浅い形状としたことを特徴とする入浴用椅子。
【請求項２】
座席部と背もたれを有し、前記背もたれは下端部中央に切欠部を形成し、着席した人の隆起した背骨が当たらないように前面の中央縦方向に逃溝を形成したことを特徴とする請求項１記載の入浴用椅子。
【発明の詳細な説明】
【０００１】
【発明の属する技術分野】
本発明は、入浴時に浴室内で使用する椅子であり、一般に洗い場で使用する椅子あるいは入浴を補助するためのリフター用の椅子等に関するものである。
【０００２】
【従来の技術】
従来、浴室用の椅子としてまた介護用の椅子としてトイレの便座のように中央部に空間を設けた座席部を有する椅子がある。これは付き添っている人または介護する人がその椅子に座っている人の局部を洗いやすいように手やシャワーノズルを入れるための空間である。しかしこのように中央に比較的大きな空間を設けると、着席した場合に座面と接触する面積が狭くなるため接触面に加わる圧が大きくなり座り心地が悪くなるという問題がある。また直接局部を手で洗浄したり、シャワー水流を当てたりすることは、介護する方にとっても介護を受ける方にとっても好ましくないものである。
【０００３】
【発明が解決しようとする課題】
本発明は、一般入浴時の椅子、あるいは介護用の入浴補助リフトの椅子で座り心地が良く、局部の洗浄が容易に行える椅子を提供することを目的とする。
【０００４】
【課題を解決するための手段】
前記課題を解決するため、請求項１の発明は、座席部と背もたれを有する入浴用椅子において、座席部は幅方向中央位置に前端から後方に向かいほぼ中央までＶ字型の切欠部を形成し、その切欠部の端部から座席部後端までの座席上面に形成した局部洗浄用溝は、前方が幅広く深く、後方が幅狭く浅い形状としたので、切欠部にシャワーノズルを持ってきて前記局部洗浄用溝に向けて水を噴出させると、溝内でその水流は後方に行くほど速くなるのでより効果的に局部を洗浄できる。
【０００５】
請求項２の発明は、入浴用椅子において、背もたれは下端部中央に切欠部を形成し、着席した人の隆起した背骨が当たらないように前面の中央縦方向に逃溝を形成したので、痩せて背骨が隆起した人が座っても背もたれが背骨を圧迫しないので、座り心地が良い。
【０００７】
【発明の実施の形態】
本発明の実施の形態を図面を参照して説明する。
図１は、本発明の入浴用椅子Ａと椅子の支持部材Ｂを示した斜視図である。入浴用椅子Ａは、座席部１と背もたれ２と肘掛け３から成り、座席部１は幅方向中央位置に前端から後方に向かいほぼ中央までＶ字型の切欠部１１を形成し、その切欠部１１の端部から座席部後端までの座席上面に局部洗浄用溝１２を形成している。
【０００８】
また背もたれ２は下端部中央に切欠部２１を形成し、着席した人の隆起した背骨が当たらないように前面の中央縦方向に逃溝２２を形成している。また背もたれ２の上端部左右に連結具２３を備え、入浴補助リフト等の支持部材Ｂの支柱Ｂ１の下端部に回転折りたたみ可能に連結している。
【０００９】
図２および図３は、入浴用椅子Ａの平面図と正面図である。座席部１の項端に背もたれ２の下端部が折りたたみ可能に連結され、肘掛け３は前端をわずかに内側上方へ屈曲して屈曲部３１を形成し、後端部を連結具３２で背もたれ２の左右側面に軸結合している。肘掛け３は前記屈曲部３１をねじり回転させて連結具３２の軸を中心に上方に折り上げて背もたれ２の側面に沿わせることができる。
【００１０】
座席部１は正面視で僅かに下方向に湾曲した形状であり、幅方向の中央を前端から後方に向かって先細りのＶ字型の切欠部１１を形成し、座席上面の切欠端部１３から座席部後端に渡って先細りでかつ次第に浅くした形状の局部洗浄用溝１２を形成している。
【００１１】
背もたれ２は、平面視で僅かに後方に湾曲した形状であり、幅方向の中央を下端部から上方に向かって台形状の切欠部２１を形成し、背もたれ前面中央を前記切欠部２１の上端から上方に向かって、背もたれ上端までの約１／２高さで上方に行くほど幅が狭く深さが浅くなる形状の逃溝２２を形成して、痩せて背中の筋肉がなくなり背骨が隆起した人が座っても背骨が圧迫されて苦痛を感じることを防止する形状としている。
【００１２】
図４は、本発明の入浴用椅子Ａに人が座った状態を示す断面図である。この状態で座席部１の切欠部１１にシャワーノズルＣを持っていき水を出すと水は局部洗浄用溝１２を通って座席部後端から排水される。この時の局部洗浄用溝１２の前方部の水流Ｗ１の流速はシャワーノズルから噴出された時とほぼ同じ速さだが、局部洗浄用溝１２の幅および深さが前方から後方に向かって徐々に小さくなっているため後方部の水流Ｗ２の流速は前方部の水流Ｗ１の流速より速くなり、かつ溝に沿って上向きに流れるため局部を効果的に洗浄することができる。
背もたれ２の前面には切欠部２１の上端から背もたれ２の上端に向かって逃溝２２を形成して隆起した背骨の圧迫を防止する形状としている。
【００１３】
図５、図６、図７は、本発明の入浴用椅子Ａを折りたたむ状態を示した側面図である。座席部１と背もたれ２は座席部１の左右両側の後端部に延長して形成されたＬ字型の連結具１４で軸結合されている。肘掛け３はその根本部を連結具３２で背もたれ２の両側面に軸結合されている。背もたれ２はその左右部上端の連結具２３で支柱Ｂ１の下端部と軸結合されている。
【００１４】
まず肘掛け３の屈曲部３１をねじって垂直方向に起し、連結具３２の軸を中心に肘掛け３全体を背もたれ２側面に沿わせる。次に座席部１の前端を持ち上げて背もたれ２の前面に重ね合わせる。（図６の状態）
次に背もたれ２の連結具２３の軸を中心にして背もたれ２の下端部を上方に回すと座席部１が左右の支柱Ｂ１間に丁度納まる状態となり（図７の状態）、この状態で不用意に倒れてこないように左右の支柱Ｂ１に設けたストッパー（図示省略）をかけて折りたたみが完了する。
【００１５】
図８は、本発明の入浴用椅子Ａを洗い場Ｅと浴槽Ｆ間で旋回移動および上下移動するための入浴補助リフトＤを浴室内に設置した状態を示した斜視図である。
【００１６】
【発明の効果】
座席部に形成した局部洗浄用溝の幅および深さを前方から後方に向かって徐々に小さくしたので、シャワーの水は溝の前方部の流速より後方部の流速の方が速くなり、かつ溝に沿って上向きに流れるため局部をより効果的に洗浄することができる。
【００１７】
高齢者や病弱な人には痩せて背筋が衰え背骨が隆起した人が多く見られる。このような人が座った場合に背もたれで背骨が圧迫されないように、幅方向中央に背骨の隆起部分を逃すための逃溝を形成したので、座り心地が良く楽な姿勢がとれる。
また座席部、肘掛け、背もたれを折りたたんで座席部を支持部材間に収めることができるので、装置の一部として取外しができなくても不使用時に邪魔になることがない。
【図面の簡単な説明】
【図１】本発明の入浴用椅子と支持部材の斜視図
【図２】本発明の入浴用椅子の平面図
【図３】本発明の入浴用椅子の正面図
【図４】本発明の入浴用椅子に人が座った状態の断面図
【図５】本発明の入浴用椅子の折りたたみ状態を示す側面図
【図６】本発明の入浴用椅子の折りたたみ状態を示す側面図
【図７】本発明の入浴用椅子の折りたたみ状態を示す側面図
【図８】本発明の入浴用椅子を入浴補助リフトに取付けた状態の斜視図
【符号の説明】
Ａ…入浴用椅子
Ｂ…支持部材
１…座席部
２…背もたれ
３…肘掛け
１２…局部洗浄用溝
２２…逃溝
【図１】
0003662209.tif 000002
【図２】
0003662209.tif 000003
【図３】
0003662209.tif 000004
【図４】
0003662209.tif 000005
【図５】
0003662209.tif 000006
【図６】
0003662209.tif 000007
【図７】
0003662209.tif 000008
【図８】
0003662209.tif 000009